(57)【要約】【課題】レール部材の変形を防止したパチンコ機（弾球遊技機）の遊技盤を提供する。【解決手段】本発明に係るパチンコ機は、前面側に所定の遊技領域ＰＡが設けられた遊技盤１０と、遊技盤１０を収容保持する前枠と、前枠における遊技盤１０の下側に設けられ、遊技領域ＰＡに向けて遊技球を打ち出す発射機構と、遊技盤の前面における遊技領域の周辺部に設けられ発射機構から打ち出された遊技球を遊技領域ＰＡに導くレール部材５０とを備え、レール部材５０において遊技盤１０の前面に沿った方向でのレール部材５０の厚さが最小となる部分の背面側に、当該背面側へ突出する突出部５６が形成されるとともに、遊技盤１０の前面側に、突出部５６が嵌合する嵌合部５７が形成される。【選択図】図４
2009131515.tif 000002
【特許請求の範囲】
【請求項１】
前面側に所定の遊技領域が設けられた遊技盤と、
前記遊技盤を収容保持する前枠と、
前記前枠における前記遊技盤の下側に設けられ前記遊技領域に向けて遊技球を打ち出す発射機構と、
前記遊技盤の前面における前記遊技領域の周辺部に設けられ前記発射機構から打ち出された遊技球を前記遊技領域に導くレール部材とを備え、
前記レール部材において前記遊技盤の前面に沿った方向での前記レール部材の厚さが最小または最小近傍となる部分の背面側に、当該背面側へ突出する突出部が形成されるとともに、
前記遊技盤の前面側に、前記突出部が嵌合する嵌合部が形成されることを特徴とする弾球遊技機。
【請求項２】
前記発射機構から打ち出された遊技球が前記レール部材に当接しながら前記遊技領域に導かれることを特徴とする請求項１に記載の弾球遊技機。
【請求項３】
前記突出部は、前記レール部材において前記発射機構から打ち出された遊技球が最初に当接する部分または当該部分近傍の背面側に形成されることを特徴とする請求項１もしくは請求項２に記載の弾球遊技機。
【発明の詳細な説明】
【技術分野】
【０００１】
本発明は、パチンコ機に代表される弾球遊技機に関し、さらに詳しくは、弾球遊技機に構成されるレールの構造に関する。
【背景技術】
【０００２】
弾球遊技機の代表例であるパチンコ機は、前面に遊技領域を形成する遊技盤を立設姿勢で収容保持した前枠に、前背面に遊技球の処理経路を一体に設けるとともに背面に各種制御基板が取り付けられる裏セット盤を背面から取り付けて構成され、遊技球発射装置により遊技領域上部に導いた遊技球を落下させる過程で遊技領域内に設けた入賞具に入賞させる遊技を行うように構成されている。
【０００３】
前枠の下部には球皿が着脱可能に取り付けられており、球皿の背後に位置する前枠の下部領域には遊技補助盤と称される補助機構部が設けられ、この遊技補助盤に遊技球発射装置が取り付けられている。前枠の下部には発射ハンドルが設けられており、遊技者が発射操作を行うと当該操作に基づいて球皿に貯留された遊技球が１球ずつ遊技球発射装置の発射レール上に供給され、発射機構により遊技盤に向けて打ち出されるようになっている。
【０００４】
遊技盤の前面には、遊技領域を囲むようにしてレール部材が取り付けられ、遊技球発射装置から打ち出された遊技球は、当該レール部材に沿って遊技領域の上部に導かれるように構成されている（例えば、特許文献１および特許文献２を参照）。
【特許文献１】特開２０００−２４１８８号公報
【特許文献２】特開２００５−６６３０７号公報
【発明の開示】
【発明が解決しようとする課題】
【０００５】
近年、遊技領域が大型化するのに伴って、遊技盤の前面に沿った方向でのレール部材の厚さも薄くなる傾向にある。しかしながら、樹脂製のレール部材は薄くなると変形しやすくなり、特に、遊技球発射装置から打ち出された遊技球の着座部分が変形することにより、遊技球の球飛び（発射精度）が不安定になるおそれがあった。
【０００６】
本発明は、このような問題に鑑みて成されたものであり、レール部材の変形を防止した弾球遊技機を提供することを目的とする。
【課題を解決するための手段】
【０００７】
このような目的達成のため、本発明に係る弾球遊技機は、前面側に所定の遊技領域が設けられた遊技盤と、前記遊技盤を収容保持する前枠と、前記前枠における前記遊技盤の下側に設けられ前記遊技領域に向けて遊技球を打ち出す発射機構と、前記遊技盤の前面における前記遊技領域の周辺部に設けられ前記発射機構から打ち出された遊技球を前記遊技領域に導くレール部材とを備え、前記レール部材において前記遊技盤の前面に沿った方向での前記レール部材の厚さが最小または最小近傍となる部分の背面側に、当該背面側へ突出する突出部が形成されるとともに、前記遊技盤の前面側に、前記突出部が嵌合する嵌合部が形成される。
【０００８】
なお、上述の発明において、前記発射機構から打ち出された遊技球が前記レール部材に当接しながら前記遊技領域に導かれることが好ましい。
【０００９】
また、上述の発明において、前記突出部は、前記レール部材において前記発射機構から打ち出された遊技球が最初に当接する部分または当該部分近傍の背面側に形成されることが好ましい。
【発明の効果】
【００１０】
本発明によれば、レール部材においてレール部材の厚さが最小または最小近傍となる部分の背面側に突出部が形成されるとともに、当該突出部が嵌合する嵌合部が遊技盤の前面側に形成されるため、レール部材の突出部近傍における遊技盤の前面に沿った変位が規制されることから、レール部材においてレール部材の厚さが相対的に薄くなる部分の変形を防止することが可能になる。
【００１１】
なお、上述の発明において、発射機構から打ち出された遊技球がレール部材に当接しながら遊技領域に導かれることが好ましく、このような部分の変形を防止することで、遊技球の球飛び（発射精度）を安定させることができる。
【００１２】
また、上述の発明において、突出部は、前記発射機構から打ち出された遊技球が最初に当接する部分に形成されることが好ましく、このようにすれば、レール部材における遊技球の着座部分の変形が防止されるため、遊技球の球飛び（発射精度）をより安定させることができる。
【発明を実施するための最良の形態】
【００１３】
以下、本発明の好ましい実施形態について図面を参照しながら説明する。本発明に係る弾球遊技機の代表例としてパチンコ機ＰＭを図１に示しており、まず、これらの図面を参照しながらパチンコ機ＰＭの全体構成について要約説明する。ここで、図１はパチンコ機ＰＭの正面図、図２はガラス扉５および球皿６を開放した状態におけるパチンコ機ＰＭの正面図である。
【００１４】
パチンコ機ＰＭは、図１に示すように、外郭方形枠サイズに構成されて縦向きの固定保持枠をなす外枠１の開口前面に、これに合わせた方形枠サイズに構成されて開閉搭載用の前枠２が互いの正面左側上下に配設されたヒンジ機構３ａ，３ｂで横開き開閉および着脱が可能に取り付けられ、正面右側に設けられたダブル錠と称される施錠装置４を利用して常には外枠１と係合された閉鎖状態に保持される。
【００１５】
前枠２の前面側には、前枠２の前面域に合わせた方形状のガラス扉５および球皿６が正面左側に設けられたヒンジ機構７ａ，７ｂ，７ｃで横開き開閉および着脱が可能に取り付けられ、正面右側に設けられた施錠装置４を利用して前枠２の前面を覆う閉鎖状態に保持される。球皿６の右側下部には遊技球の発射操作を行う操作ハンドル８が取り付けられている。前枠２の上部には方形枠状の収容枠２ａが前枠２と一体に成型されており、この収容枠２ａに遊技盤１０が着脱可能に立設保持される。
【００１６】
収容枠２ａの下側に位置する前枠２の下部領域には遊技補助盤と称される補助機構部が形成されており、この遊技補助盤２０の各部に、遊技盤１０に向けて遊技球を打ち出す遊技球発射装置２１、所定容積の収容空間を有して球皿６の充満時に排出しきれない遊技球を一時貯留する貯留ケース２５、貯留ケース２５の出口開口に設けられ球皿６の開閉操作に連動して出口開口を開閉する枠側シャッタ２８、遊技の展開状態に応じて効果音を発生させる音響装置２９などが設けられている。
【００１７】
なお、前枠２の背面側には、図示しない裏セット盤が揺動開閉および着脱可能に取り付けられており、この裏セット盤には、図示省略するが、入賞状態等に基づいて遊技球を払い出す球払出装置および、球払出装置から払い出された遊技球を球皿６に導く球払出通路等の遊技球の処理機構や、パチンコ機ＰＭの作動を制御する制御装置等が配設されている。
【００１８】
パチンコ機ＰＭは、前枠２、ガラス扉５および球皿６がともに閉止され施錠された状態で遊技に供され、球皿６に遊技球を貯留させて操作ハンドル８を回動操作することにより遊技が開始される。操作ハンドル８が回動操作されると、球皿６に貯留された遊技球が遊技球発射装置２１のハンマにより遊技盤１０の遊技領域ＰＡに打ち出され、以降パチンコゲームが展開される。
【００１９】
次に、遊技盤１０について図３〜図５を追加参照しながら説明する。ここで、図３は遊技盤１０の正面図、図４は遊技盤１０の左側近傍を示す拡大断面図、そして図５は図４中の矢印V−Vに沿った断面図である。
【００２０】
遊技盤１０は、所定板厚の積層合板を切断およびルーター加工して、表面にセルを貼り付けた化粧板（「ベニヤ」とも称される）１１を基板として構成される。化粧板１１の前面には、レール部材５０がビス止めされてその内側に略円形の遊技領域ＰＡが区画形成され、この遊技領域ＰＡに多数本の遊技釘とともに風車や各種入賞具１５、遊技の進行状況に応じて所定の図柄を表示させる図柄表示装置１６などの遊技構成部品が取り付けられている。また、遊技領域ＰＡの下端部には入賞具１５に入賞せずに落下した遊技球を遊技盤１０の裏面側に排出させるアウト口１７が設けられている。
【００２１】
レール部材５０は、ポリカーボネート（ＰＣ）等の樹脂材料を用いて一体的に射出成型され、化粧板１１の中央部を取り囲んで遊技領域ＰＡを区画形成するとともに、遊技領域ＰＡを取り囲む内周壁面を略円形に形成することにより遊技球の移動範囲を設定するレール面６１〜６３を形成している。すなわち、レール部材５０は、遊技盤１０における遊技領域ＰＡの周辺部の形状に合わせて形成され、化粧板１１の前面における遊技領域ＰＡの周辺部に取り付けられる。また、レール部材５０は、図５に示すように、前面側に面した板状の天井部５１と、この天井部５１とそれぞれ繋がる内側壁部５２および外側壁部５３とを主体に構成され、さらに、詳細な図示を省略するが、天井部５１と内側壁部５２および外側壁部５３とに囲まれる内側部分には、レール部材５０の強度を向上させるためのリブ（図示せず）が複数形成されている。
【００２２】
レール部材５０の内周壁面は、遊技盤１０の正面左下部から左斜め上方に延び、その後滑らかに円弧状に湾曲して返しゴム１９の外側に至り、さらに返しゴム１９の内側から再び円弧状に湾曲して中央下部のアウト口１７に至るように形成されている。遊技盤１０の正面左下部から左斜め上方に延び、その後滑らかに円弧状に湾曲して返しゴム１９の外側に至る内周壁面は、遊技球発射装置２１から打ち出された遊技球を滑らかに遊技領域ＰＡに導く第１のレール面６１を形成している。このため、図４に示すように、遊技球発射装置２１から打ち出された遊技球Ｂは、一定程度上昇したところでレール面６１上の第１着座点６１ａ（レール面６１上に最初に当接する位置）に滑らかに当接し、上方で湾曲する第１のレール面６１に沿って遊技領域ＰＡに向かう。
【００２３】
また、図３に示すように、返しゴム１９の内側から円弧状に湾曲して下方に延び中央下部のアウト口１７に至る内周壁面は、遊技領域ＰＡ内の遊技釘や風車に弾かれてランダムに転動落下する遊技球を遊技領域ＰＡの外方に飛散しないように遊技領域ＰＡ内に閉じこめるとともに、下方のアウト口１７に向けて案内する第２のレール面６２を形成している。さらに、アウト口１７の近傍から第１のレール面６１に沿って左上方に湾曲して延びる内レール部５５の内側壁面には、遊技盤１０の中央下部（アウト口１７）で第２のレール面６２と滑らかに繋がり、この中央下部から円弧状に湾曲して遊技領域ＰＡの左上部に至る第３のレール面６３が形成される。そして、これら第１〜第３のレール面６１〜６３によって略円形の遊技領域ＰＡが区画形成される。
【００２４】
一方、内レール部５５の外側壁面は、内レール部５５の左外方の位置から内レール部５５とほぼ平行に延びてその後滑らかに円弧状に湾曲する外レール部５４の第１のレール面６１との間で発射通路６５を形成し、さらに、内レール部５５の上端には球戻り規制片１８が取り付けられている。そのため、遊技球発射装置２１から打ち出された遊技球は、遊技盤１０の発射通路６５に進入し、一定程度上昇したところで第１のレール面６１上の第１着座点６１ａ（図４を参照）に滑らかに当接して第１のレール面６１に当接しながら遊技領域ＰＡに向かい、球戻り規制片１８を弾性変形させて遊技領域ＰＡに到達する。遊技領域ＰＡに到達した遊技球は、多数の遊技釘や風車に弾かれてランダムに転動落下するが、その飛翔範囲は上述した第１〜第３のレール面６１〜６３および球戻り規制片１８に囲まれた遊技領域内に制限され、この領域を越えて外方に飛散したり発射通路６５側に戻ったりすることがなく、確実に遊技領域内で遊技を展開させる。そして、入賞具１５に落入せずに落下したアウト球は、第２もしくは第３のレール面６２，６３に案内されてアウト口１７に導かれる。
【００２５】
ところで、レール部材５０において天井部５１の前面（すなわち、遊技盤１０の前面）に沿った左右方向での厚さが最小となる、レール部材５０の左側部分５０ａの背面側には、図５に示すように、天井部５１より背面側へ突出して突出部５６が形成される。この突出部５６は、図４にも示すように、レール部材５０の背面側から見て（遊技盤１０の中央側へ湾曲した）円弧状に形成され、内側壁部５２および外側壁部５３よりもさらに背面側へ突出するようになっている。一方、化粧板１１の左側端部には、レール部材５０の突出部５６が嵌合する嵌合部５７が形成される。この嵌合部５７は、突出部５６の形状に合わせて円弧状に凹んだ溝形に形成され、レール部材５０の突出部５６が嵌合部５７と嵌合することにより、レール部材５０における突出部５６の近傍が遊技盤１０（化粧板１１）の前面に沿って上下および右方向に変位するのを規制するようになっている。
【００２６】
このように、レール部材５０の突出部５６および化粧板１１の嵌合部５７を用いて、レール部材５０の突出部５６近傍における遊技盤１０（化粧板１１）の前面に沿った変位を規制することで、レール部材５０においてレール部材５０の厚さが最小となる部分の変形を防止することが可能になる。そして、遊技球発射装置２１から打ち出された遊技球が当接するレール部材５０の変形を防止することができるため、遊技球の球飛び（発射精度）を安定させることが可能になる。なお、本実施形態のようなレール部材５０の左側部分５０ａ（外レール部５４）は右側へ反りやすいため、レール部材５０の右方向への変位を規制すれば効果的である。そのため、突出部５６および嵌合部５７を円弧状に形成することで、レール部材５０の極めて薄い部分においても、突出部５６および嵌合部５７を設けることが可能になる。
【００２７】
また、本実施形態において、突出部５６は、レール部材５０において遊技球発射装置２１から打ち出された遊技球が最初に当接する部分（第１着座点６１ａ）の近傍に形成されている。このようにすれば、レール部材５０における遊技球の着座点６１ａの部分の変形を防止することができ、遊技球の球飛び（発射精度）をより安定させることができる。なお、このような近傍ではなく、遊技球の第１着座点６１ａを狙って突出部５６および嵌合部５７を形成してもよい。
【００２８】
なお、上述の実施形態において、本発明に係る弾球遊技機としてパチンコ機ＰＭを例に説明しているが、これに限られるものではなく、例えば、雀球遊技機やアレンジボール機等のレール部材を備えた弾球遊技機であれは、本発明を適用可能である。
【００２９】
また、上述の実施形態において、突出部５６をレール部材５０の左側部分５０ａに形成しているが、これに限られるものではなく、例えば、図３に示すように、レール部材５０の上下方向での厚さが最小近傍となるレール部材５０の上側部分５０ｂや、左右方向での厚さが最小近傍となる右側部分５０ｃに形成するようにしてもよく、このような部分に突出部（および嵌合部）を形成すれば、同様の効果を得ることができる。
【００３０】
また、上述の実施形態において、レール部材５０の突出部５６が背面視円弧状に形成されるとともに、化粧板１１の嵌合部５７が突出部５６の形状に合わせた溝形に形成されているが、これに限られるものではなく、レール部材の上下左右方向への変位を防止したければ、例えば、突出部を筒状に形成するとともに、嵌合部を突出部の形状に合わせた穴形に形成するようにしてもよい。
【図面の簡単な説明】
【００３１】
【図１】パチンコ機の正面図である。
【図２】ガラス扉および球皿を開放した状態におけるパチンコ機ＰＭの正面図である。
【図３】遊技盤の正面図である。
【図４】遊技盤の左側近傍を示す拡大断面図である。
【図５】図４中の矢印Ｖ−Ｖに沿った断面図である。
【符号の説明】
【００３２】
ＰＭ  パチンコ機（弾球遊技機）
ＰＡ  遊技領域
Ｂ  遊技球
２  前枠
１０  遊技盤
２０  遊技補助盤
２１  遊技球発射装置（発射機構）
５０  レール部材
５６  突出部
５７  嵌合部
６１  第１のレール面（６１ａ  第１着座点）
６２  第２のレール面
６３  第３のレール面
【図１】
2009131515.tif 000003
【図２】
2009131515.tif 000004
【図３】
2009131515.tif 000005
【図４】
2009131515.tif 000006
【図５】
2009131515.tif 000007